(57)【要約】【課題】  携帯式情報表示装置を起こして支持でき、また携帯式情報表示装置の表示高さを調整でき、人体工学の要求に符合し、使用時の便利性と快適性を高めた携帯式情報表示装置の高さ調整装置の提供。【解決手段】  携帯式情報表示装置と電池箱を具え、該電池箱に回転アームが枢設され、該回転アームが電池箱に対して回転して起こされ、この時、回転アームの支持突起が携帯式情報表示装置の背面の支持凹孔中に嵌合し、これにより携帯式情報表示装置が支持され並びにその本体が前方に向く。【選択図】        図２
2005242284.tif 000002
【特許請求の範囲】
【請求項１】
携帯式情報表示装置の高さ調整装置において、携帯式情報表示装置と電池箱を具え、
該携帯式情報表示装置は、本体を具え、該本体は背面、前縁、及び後縁を具え、該背面に少なくとも一つの組合せ凹孔、少なくとも一つの支持凹孔、一つの電気ソケット、及び二つの位置決め孔が凹設され、該少なくとも一つの組合せ凹孔は該背面の後縁近くに凹設され、該少なくとも一つの支持凹孔は該背面のほぼ中段位置に凹設され、該電気ソケットは該背面の前縁近くに凹設され、該二つの位置決め孔は該背面の二側の該前縁近くに凹設され並びに前縁に貫通し、
該電池箱は、上表面、前側縁、及び回転アームを具え、該上表面に電気プラグと二つの位置決め柱が凸設され、該電気プラグは上表面の前側縁に近い部分に凸設され、二つの位置決め柱は上表面の二側近くの前側縁近くに凸設され、該回転アームは底端と上端を具え、該底端が該電池箱に枢設され、該上端に少なくとも一つの支持突起が凸設され、
該電池箱は携帯式情報表示装置の下方に組付けられ、該上表面が該背面に当接し、該回転アームの少なくとも一つの支持突起が該少なくとも一つの組合せ凹孔に対応し嵌合し、該電気プラグが該電気ソケット内に嵌合して電気的接続を形成し、該二つの位置決め柱が該二つの位置決め孔内に嵌合し、該回転アームが該上表面に対して上向きに回される時、該少なくとも一つの支持突起が該少なくとも一つの支持凹孔内に嵌合可能で、並びに該携帯式情報表示装置が起こされて該本体が前向きとされ、該二つの位置決め孔が二つの位置決め柱に対応して嵌合され、該電気プラグが電気ソケット内に対応し嵌合されて電気的接続を形成できることを特徴とする、携帯式情報表示装置の高さ調整装置。
【請求項２】
請求項１記載の携帯式情報表示装置の高さ調整装置において、携帯式情報表示装置が更にディスプレイパネルを具え、該ディスプレイパネルが本体に対して回転して起こされてディスプレイパネルが前向きとされ得ることを特徴とする、携帯式情報表示装置の高さ調整装置。
【請求項３】
請求項２記載の携帯式情報表示装置の高さ調整装置において、携帯式情報表示装置がＤＶＤプレイヤーとされたことを特徴とする、携帯式情報表示装置の高さ調整装置。
【請求項４】
請求１記載の携帯式情報表示装置の高さ調整装置において、電池箱が更に二つの側縁を具え、回転アームがＵ形を呈し並びに二つの側柱及び一つの横柱を具え、該横柱が二つの側柱を接続し、該二つの側柱は底端を具え、並びに二つの側縁に対応し枢設され、横柱は上端を具え、且つ上端に少なくとも一つの支持突起が凸設されたことを特徴とする、携帯式情報表示装置の高さ調整装置。
【請求項５】
請求１記載の携帯式情報表示装置の高さ調整装置において、少なくとも一つの支持凹孔に上向きに突出する係合柱が設けられ、少なくとも一つの支持突起より下向きにフックが延伸され、該少なくとも一つの支持突起が少なくとも一つの支持凹孔内に嵌合する時、該フックが該係合柱に係合することを特徴とする、携帯式情報表示装置の高さ調整装置。
【発明の詳細な説明】
【技術分野】
【０００１】
本発明は携帯式情報表示装置の高さ調整装置に係り、特にＤＶＤプレイヤーやＰＤＡ等の携帯式情報表示装置に適用される高さ調整装置に関する。
【背景技術】
【０００２】
一般に携帯式情報表示装置は、ディスプレイパネルを具え、このディスプレイパネルは該携帯式情報表示装置、例えばＤＶＤプレイヤー内部の各種情報、例えば映画等を表示するのに用いられる。
【０００３】
しかし、伝統的な携帯式情報表示装置は卓上に置いて使用される時、そのディスプレイパネルの高さが使用者の眼の高さより低すぎ、使用者が頭を低くして下向きにディスプレイパネルを覗き込まねばならず、もし携帯式情報表示装置がＤＶＤプレイヤーであって映画を再生する場合であれば、２時間ほどもこのような姿勢を続けなければならないため、身体上の不適を形成し、ゆえにこのような周知の携帯式情報表示装置は人体工学に符合した設計とはいえない。
【発明の開示】
【発明が解決しようとする課題】
【０００４】
本発明の主要な目的は、一種の携帯式情報表示装置の高さ調整装置を提供し、携帯式情報表示装置の表示高さを調整できるようにして人体工学の要求に符合し並びに使用時の便利性と快適性を増すことにある。
【課題を解決するための手段】
【０００５】
請求項１の発明は、携帯式情報表示装置の高さ調整装置において、携帯式情報表示装置と電池箱を具え、
該携帯式情報表示装置は、本体を具え、該本体は背面、前縁、及び後縁を具え、該背面に少なくとも一つの組合せ凹孔、少なくとも一つの支持凹孔、一つの電気ソケット、及び二つの位置決め孔が凹設され、該少なくとも一つの組合せ凹孔は該背面の後縁近くに凹設され、該少なくとも一つの支持凹孔は該背面のほぼ中段位置に凹設され、該電気ソケットは該背面の前縁近くに凹設され、該二つの位置決め孔は該背面の二側の該前縁近くに凹設され並びに前縁に貫通し、
該電池箱は、上表面、前側縁、及び回転アームを具え、該上表面に電気プラグと二つの位置決め柱が凸設され、該電気プラグは上表面の前側縁に近い部分に凸設され、二つの位置決め柱は上表面の二側近くの前側縁近くに凸設され、該回転アームは底端と上端を具え、該底端が該電池箱に枢設され、該上端に少なくとも一つの支持突起が凸設され、
該電池箱は携帯式情報表示装置の下方に組付けられ、該上表面が該背面に当接し、該回転アームの少なくとも一つの支持突起が該少なくとも一つの組合せ凹孔に対応し嵌合し、該電気プラグが該電気ソケット内に嵌合して電気的接続を形成し、該二つの位置決め柱が該二つの位置決め孔内に嵌合し、該回転アームが該上表面に対して上向きに回される時、該少なくとも一つの支持突起が該少なくとも一つの支持凹孔内に嵌合可能で、並びに該携帯式情報表示装置が起こされて該本体が前向きとされ、該二つの位置決め孔が二つの位置決め柱に対応して嵌合され、該電気プラグが電気ソケット内に対応し嵌合されて電気的接続を形成できることを特徴とする、携帯式情報表示装置の高さ調整装置としている。
請求項２の発明は、請求項１記載の携帯式情報表示装置の高さ調整装置において、携帯式情報表示装置が更にディスプレイパネルを具え、該ディスプレイパネルが本体に対して回転して起こされてディスプレイパネルが前向きとされ得ることを特徴とする、携帯式情報表示装置の高さ調整装置としている。
請求項３の発明は、請求項２記載の携帯式情報表示装置の高さ調整装置において、携帯式情報表示装置がＤＶＤプレイヤーとされたことを特徴とする、携帯式情報表示装置の高さ調整装置としている。
請求項４の発明は、請求１記載の携帯式情報表示装置の高さ調整装置において、電池箱が更に二つの側縁を具え、回転アームがＵ形を呈し並びに二つの側柱及び一つの横柱を具え、該横柱が二つの側柱を接続し、該二つの側柱は底端を具え、並びに二つの側縁に対応し枢設され、横柱は上端を具え、且つ上端に少なくとも一つの支持突起が凸設されたことを特徴とする、携帯式情報表示装置の高さ調整装置としている。
請求項５の発明は、請求１記載の携帯式情報表示装置の高さ調整装置において、少なくとも一つの支持凹孔に上向きに突出する係合柱が設けられ、少なくとも一つの支持突起より下向きにフックが延伸され、該少なくとも一つの支持突起が少なくとも一つの支持凹孔内に嵌合する時、該フックが該係合柱に係合することを特徴とする、携帯式情報表示装置の高さ調整装置としている。
【発明の効果】
【０００６】
本発明は回転アームの設計により携帯式情報表示装置が起こされ、並びに携帯式情報表示装置の表示高さが調整され、これにより人体工学の要求に符合して使用時の便利性と快適性を増す。
【発明を実施するための最良の形態】
【０００７】
本発明の携帯式情報表示装置の高さ調整装置は、携帯式情報表示装置及び電池箱を具えている。そのうち該携帯式情報表示装置は本体を具え、且つこの本体は、背面、前縁、及び後縁を具え、そのうち背面に少なくとも一つの組合せ凹孔、支持凹孔、電気ソケット、及び二つの位置決め孔が凹設され、少なくとも一つの組合せ凹孔は背面の後縁近くに凹設され、少なくとも一つの支持凹孔は背面のほぼ中段位置に凹設され、電気ソケットは背面の二側の前縁近い部分に凹設され且つ前縁に貫通する。
【０００８】
このほか、電池箱は上表面、前側縁、及び回転アームを具え、且つ上表面に電気プラグ、及び二つの位置決め柱が凸設され、該電気プラグは上表面の前側縁に近い部分に凸設され、二つの位置決め柱は上表面の二側の前側縁近くに凸設され、回転アームは底端及び上端を具え、該底端は電池箱に枢設され、該上端に少なくとも一つの支持突起が凸設されている。
【０００９】
一般の状態で、電池箱は携帯式情報表示装置の下方に組付けられ、並びにその上表面が携帯式情報表示装置の背面に当接し、この時、回転アームの少なくとも一つの支持突起は携帯式情報表示装置の背面の少なくとも一つの組合せ凹孔に対応し嵌合し、電池箱の電気プラグは携帯式情報表示装置の背面の電気ソケットに対応し嵌合し並びに電気的接続を形成し、電池箱の二つの位置決め柱はそれぞれ携帯式情報表示装置の背面の二つの位置決め孔内に対応し嵌合している。
【００１０】
携帯式情報表示装置を起こしたい時は、電池箱の回転アームを電池箱の上表面に対して上向きに回して起こし、並びに回転アームの少なくとも一つの支持突起を携帯式情報表示装置背面の少なくとも一つの支持凹孔内に嵌合させれば、携帯式情報表示装置が起きた状態で支持され並びにその本体が前方に向き、また携帯式情報表示装置の二つの位置決め孔にそれぞれ電池箱の二つの位置決め柱が対応し嵌合し、電池箱の電気プラグが携帯式情報表示装置の背面の電気ソケット内に嵌合し並びに電気的接続を形成する。
【００１１】
以上から分かるように、回転アームの設計により携帯式情報表示装置が起こされ、並びに携帯式情報表示装置の表示高さが調整され、これにより人体工学の要求に符合して使用時の便利性と快適性を増す。
【実施例１】
【００１２】
図１は本発明の立体組合せ図であり、それには携帯式情報表示装置１が示され、本実施例ではそれはＤＶＤプレイヤーとされ、その下方に電池箱２が組付けられている。
【００１３】
図２は本発明の立体分解図であり、図示されるように、上述の携帯式情報表示装置１は、本体１１及びディスプレイパネル１９を具えている。そのうち、本体１１は背面１２、前縁１３、及び後縁１４を具え、且つ背面１２に三つの組合せ凹孔１５、三つの支持凹孔１６、一つの電気ソケット１７、及び二つの位置決め孔１８が凹設され、そのうち、三つの組合せ凹孔１５は背面１２の後縁１４近くに凹設され、三つの支持凹孔１６は背面１２のほぼ中段位置に凹設され、且つこの三つの支持凹孔１６にそれぞれ上向きに突出する係合柱１６１が設けられ、電気ソケット１７は背面１２の前縁１３近くに凹設されている。注意すべきは、この二つの位置決め孔１８は前縁１３まで貫通して破断状とされていることである。ディスプレイパネル１９は表示面１９１を具え、ディスプレイパネル１９は本体１１に対して回転して起こされ、並びにその表示面１９１が前向きとされ得る。
【００１４】
このほか、電池箱２は上表面２１、前側縁２２、二つの側縁２６及び一つの回転アーム２４を具え、且つ該上表面２１に電気プラグ２３と、二つの位置決め柱２５が凸設され、そのうち、電気プラグ２３は上表面２１の前側縁２２に近い部分に凸設され、二つの位置決め柱２５は上表面２１の二側近くの前側縁２２近くに凸設される。このほか、回転アーム２４はＵ形を呈し並びに二つの側柱２４２及び一つの横柱２４３を具え、この横柱２４３は二つの側柱２４２を接続し、二つの側柱２４２は底端２０１を具え、それはそれぞれ二つの側縁２６に対応し枢設され、横柱２４３は上端２０２を具え、且つ上端２０２に三つの支持突起２４１が凸設され、この三つの支持突起２４１より下向きにフック２４４が延伸されている（図４参照）。
【００１５】
図１、２に示されるように、一般の使用状態にあって、電池箱２は携帯式情報表示装置１の下方に組付けられ、並びにその上表面２１が携帯式情報表示装置１の背面１２に当接させられ、この時、電池箱２の回転アーム２４上の三つの支持突起２４１は携帯式情報表示装置１の背面１２の三つの組合せ凹孔１５内に嵌合し、電池箱２の電気プラグ２３は携帯式情報表示装置１の背面１２の電気ソケット１７内に嵌合し並びに電気的接続を形成し、電池箱２の二つの位置決め柱２５は携帯式情報表示装置１の背面１２の二つの位置決め孔１８内に嵌合する。
【００１６】
図３は本発明の実施状態の立体図であり、図４は本発明の実施状態の側面図である。携帯式情報表示装置１の表示高さを調整したい時、回転アーム２４を電池箱２４の上表面２１に対して上向きに回して起こし、回転アーム２４の三つの支持突起２４１を携帯式情報表示装置１の背面１２の三つの支持凹孔１６に嵌合させ、且つ三つの支持突起２４１のフック２４４を三つの支持凹孔１６の係合柱１６１に係合させる。これにより携帯式情報表示装置１が起きた状態で支持され並びにその本体１１が前向きとされ、またディスプレイパネル１９が本体１１に対して回して起こされ、その表示面１９１が前向きとされる。これと共に携帯式情報表示装置１の背面１２の二つの位置決め孔１８に電池箱２の二つの位置決め柱２５が嵌合し並びに当接し、電池箱２の電気プラグ２３は携帯式情報表示装置１の背面１２の電気ソケット１７内に嵌合し並びに電気的接続を形成する。
【００１７】
これにより、携帯式情報表示装置１が起こされ並びにディスプレイパネル１９の表示面１９１が前向きとされ、即ち携帯式情報表示装置１の表示高さが調整され、人体の眼３（図４）の視覚高度に符合させられ、これにより人体工学の要求に符合し、使用時の便利性と快適性を増す。
【００１８】
上述の携帯式情報表示装置１はＤＶＤプレイヤーに限定される訳ではなく、携帯式情報表示装置１の本体１１は直接表示面１９１を具えたもの、例えばＰＤＡとされうる。
【００１９】
上述の実施例は本発明の請求範囲を限定するものではなく、本発明に基づきなしうる細部の修飾或いは改変は、いずれも本発明の請求範囲に属するものとする。
【図面の簡単な説明】
【００２０】
【図１】本発明の立体組合せ図である。
【図２】本発明の立体分解図である。
【図３】本発明の実施状態の立体図である。
【図４】本発明の実施状態の側面図である。
【符号の説明】
【００２１】
１  携帯式情報表示装置                              １１  本体
１２  背面                    １３  前縁            １４  後縁
１５  組合せ凹孔              １６  支持凹孔        １６１  係合柱
１７  電気ソケット            １８  位置決め孔      １９  ディスプレイパネル
１９１  表示面                ２  電池箱            ２０１  底端
２０２  上端                  ２１  上表面          ２２  前側縁
２３  電気プラグ              ２４  回転アーム      ２４１  支持突起
２４２  側柱                  ２４３  横柱          ２４４  フック
２５  位置決め柱              ２６  側縁            ３  眼
【図１】
2005242284.tif 000003
【図２】
2005242284.tif 000004
【図３】
2005242284.tif 000005
【図４】
2005242284.tif 000006